(57)【特許請求の範囲】
【請求項１】
被装飾面に少なくとも導電性を有する予備層を設ける第１工程と、該予備層を設けた被装飾面に所定印刷インキによる微細な色彩模様の印刷を施す第２工程と、前記色彩模様の印刷部分以外の被装飾面に金属メッキを施す第３工程と、該金属メッキの表面に装飾金属メッキを施す第４工程とを備え、
前記金属メッキの縁部に沿って、該縁部を除く前記金属メッキの表面よりも盛り上がった盛り上げ部が形成され、被装飾面表面に印刷色彩模様部と装飾金属メッキ部とを共存せしめたことを特徴とする複合色彩装飾の作成方法。
【請求項２】
導電性の被装飾面に所定印刷インキによる微細な色彩模様の印刷を施す第１工程と、前記色彩模様の印刷部分以外の被装飾面に金属メッキを施す第２工程と、該金属メッキの表面に装飾金属メッキを施す第３工程を備え、
前記金属メッキの縁部に沿って、該縁部を除く前記金属メッキの表面よりも盛り上がった盛り上げ部が形成され、印刷色彩模様部と装飾金属メッキ部とを共存せしめたことを特徴とする複合色彩装飾の作成方法。
【請求項３】
導電性の被装飾面に所定印刷インキによる微細な色彩模様の印刷を施す第１工程と、前記色彩模様の印刷部分以外の被装飾面に装飾金属メッキを施す第２工程を備え、
前記装飾金属メッキの縁部に沿って、該縁部を除く前記金属メッキの表面よりも盛り上がった盛り上げ部が形成され、印刷色彩模様部と装飾金属メッキ部とを共存せしめたことを特徴とする複合色彩装飾の作成方法。
【請求項４】
前記微細な色彩模様の印刷が、印刷インキ厚さ２〜１０μｍであって、
線幅５０μｍ以下の極細線、該極細線による模様、または所定の分布により印刷された網点画像による模様の何れかであることを特徴とする請求項１乃至３のいずれか１項に記載の複合色彩装飾の作成方法。
【請求項５】
前記所定印刷インキによる微細な色彩模様の印刷を、印刷後固定化処理を施し固定化したことを特徴とする請求項１乃至４のいずれか１項に記載の複合色彩装飾の作成方法。
【請求項６】
前記金属メッキは、メッキ厚さが５〜２０μｍであるＣｕメッキまたはＮｉメッキであり、
装飾金属メッキは、メッキ厚さが、０．０２〜１μｍであることを特徴とする請求項１または２記載の複合色彩装飾の作成方法。
【請求項７】
前記装飾金属メッキが、Ａｕ、Ａｇ、Ｐｔ、Ｒｈ、Ｐｄ、ＮｉまたはＣｕのいずれか１種の金属メッキであることを特徴とする請求項１乃至６のいずれか１項に記載の複合色彩装飾の作成方法。
【請求項８】
請求項１乃至７のいずれか１項に記載の複合色彩装飾の作成方法により装飾されたことを特徴とする複合色彩装飾体。
【請求項９】
前記請求項１乃至７のいずれか１項に記載の複合色彩装飾の作成方法により装飾された被装飾体が、携帯電話またはデジタルカメラのボディであることを特徴とする複合色彩装飾体。
【請求項１０】
前記請求項１乃至７のいずれか１項に記載の複合色彩装飾の作成方法により装飾された被装飾体が、自動車用内装または外装部品であることを特徴とする複合色彩装飾体。
【請求項１１】
前記請求項１乃至７のいずれか１項に記載の複合色彩装飾の作成方法により装飾された被装飾体が、装身具またはメガネフレームであることを特徴とする複合色彩装飾体。
【発明の詳細な説明】
【技術分野】
【０００１】
本願発明は、印刷手法による色彩模様と装飾金属メッキ手法によるパターンとの複合による複合色彩装飾の作成方法およびそれを施した複合色彩装飾体に関するものである。
【背景技術】
【０００２】
旧来から印刷による色彩装飾を施す手法は極めて多く、また、それにより色彩装飾を施された製品も多種にまたがっている。一方、金色メッキ、銀色メッキ等多くの装飾的な金属によるメッキも広く行われている。
しかし、これら、すなわち印刷手法とメッキ手法とを複合した複合色彩装飾については、特に微細な模様を対象とする微細色彩装飾については、技術的にも、美術的にもかなり難しく、過去色々な手法によりこれを実現しようとする試みが行われているが、必ずしも十分なものは得られていない。（例えば、特許文献１参照）
【特許文献１】特開２００３−３０６７９２号公報
【発明の開示】
【発明が解決しようとする課題】
【０００３】
近年、市場要求として、より微細で鮮明な画像を求める傾向が強くなり、特に技術的にも美術的にも難しい色彩印刷部分と金属メッキ部分が共存する微細模様の複合色彩装飾に対する強い要求があり、これに対する十分な技術の出現が望まれている。
本発明は、上記に鑑み、色彩印刷部分と金属メッキ部分が共存する微細模様の装飾を美術的にも満足し、比較的コストも安い複合色彩装飾の作成方法およびそれを施した複合色彩装飾体を提供することをその目的としている。
【課題を解決するための手段】
【０００４】
本発明の複合色彩装飾の作成方法は、
１）被装飾面に少なくとも導電性を有する予備層を設ける第１工程と、該予備層を設けた被装飾面に所定印刷インキによる微細な色彩模様の印刷を施す第２工程と、前記色彩模様の印刷部分以外の被装飾面に金属メッキを施す第３工程と、該金属メッキの表面に装飾金属メッキを施す第４工程とを備え、前記金属メッキの縁部に沿って、該縁部を除く前記金属メッキの表面よりも盛り上がった盛り上げ部が形成され、被装飾面表面に印刷色彩模様部と装飾金属メッキ部とを共存せしめたものである。
２）また、導電性の被装飾面に所定印刷インキによる微細な色彩模様の印刷を施す第１工程と、前記色彩模様の印刷部分以外の被装飾面に金属メッキを施す第２工程と、該金属メッキの表面に装飾金属メッキを施す第３工程を備え、前記金属メッキの縁部に沿って、該縁部を除く前記金属メッキの表面よりも盛り上がった盛り上げ部が形成され、印刷色彩模様部と装飾金属メッキ部とを共存せしめたものである
３）導電性の被装飾面に所定印刷インキによる微細な色彩模様の印刷を施す第１工程と、前記色彩模様の印刷部分以外の被装飾面に装飾金属メッキを施す第２工程を備え、前記装飾金属メッキの縁部に沿って、該縁部を除く前記金属メッキの表面よりも盛り上がった盛り上げ部が形成され、印刷色彩模様部と装飾金属メッキ部とを共存せしめたものである。
【０００５】
また、複合色彩装飾の作成方法は、
４）上述の１）〜３）において、前記微細な色彩模様の印刷が、印刷インキ厚さ２〜１０μｍであって、線幅５０μｍ以下の極細線、該極細線による模様、または所定の分布により印刷された網点画像による模様の何れかにしたものである。
５）上述の１）〜４）において、前記所定印刷インキによる微細な色彩模様の印刷を、印刷後固定化処理を施し固定化したものである。
６）上述の１）または２）において、前記金属メッキは、メッキ厚さが５〜２０μｍであるＣｕメッキまたはＮｉメッキであり、装飾金属メッキは、メッキ厚さが、０．０２〜１μｍとしたものである。
７）上述の１）〜６）において、前記装飾金属メッキが、Ａｕ、Ａｇ、Ｐｔ、Ｒｈ、Ｐｄ、ＮｉまたはＣｕのいずれか１種の金属メッキとしたものである。
【０００６】
また、本発明の複合色彩装飾体は
８）上述１）〜７）に記載の複合色彩装飾の作成方法により装飾されたものであり、
９）また、上述１）〜７）に記載の複合色彩装飾の作成方法により装飾された被装飾体を、携帯電話またはデジタルカメラのボディとしたものであり、
１０）上述１）〜７）に記載の複合色彩装飾の作成方法により装飾された被装飾体を、自動車用内装または外装部品としたものであり、
１１）上述１）〜７）に記載の複合色彩装飾の作成方法により装飾された被装飾体を、装身具またはメガネフレームとしたものである。
【０００７】
すなわち、従来メッキ処理におけるインキ印刷または塗料塗布面の役割は、メッキ工程のマスキングのためのものであって、従ってメッキ後において、インキ印刷または塗料塗布面は剥離剤等により除去していた。
本願発明においては、インキ印刷面を色彩模様として積極的に生かし、装飾メッキ部と共存させたところに第１の特徴がある。
また、本発明の複合色彩装飾体は、色彩印刷および金属装飾メッキを共存させ、且つその色彩模様も線幅５０μｍ以下の極細線または該極細線による模様、または所定の分布により印刷された網点画像としたところに第２の特徴があり、さらに装飾メッキと色彩印刷の境界縁線を装飾メッキを印刷面の縁部に沿って印刷面に被らないように盛り上げることにより、従来の色彩印刷や金属装飾メッキの各単独では得られなかったような色彩模様にシャープ感を与え、且つメッキ部と色彩印刷部との段差による深みもある、ファッション性ある装飾模様を得るところに第３の特徴がある。
【０００８】
本発明では前記縁部に沿った適度の盛り上げに対しては、基本的には先ず電着性の良い金属メッキを施し、その盛り上げたメッキ部分を介して装飾金属メッキを形成するものである。該電着性の良い金属メッキとしては、Ｃｕ、Ｎｉ、Ｚｎ、Ｓｎ等が対象となるが、性状、取り扱い上からはＣｕメッキまたはＮｉメッキが好ましい。
多くの実験により、極細線により構成された微細色彩模様の縁線に沿って盛り上げしむるには、先ずＣｕメッキまたはＮｉメッキを所定条件にてメッキすることにより、美術的にも優れた印刷縁部に沿った盛り上がり部の形成を得たものである。
色彩印刷の縁部に沿った適度の盛り上がらせとは、印刷画像面にメッキが被らない範囲で装飾メッキが、縁部に沿って平均電着面より数μｍ程度盛り上げられることを意味している。
【０００９】
この色彩印刷の縁部に沿った適度の盛り上がりは、色彩印刷のインキ厚さ、メッキ厚さおよびメッキ条件により実行される。
多くの実験の結果、色彩印刷のインキ厚さ２〜１０μｍ（より好ましくは２〜５μｍ）に対してメッキ厚さは５〜２０μｍ程度（より好ましくは１０〜１５μｍ程度）が望ましく、また主として電着性の良い金属メッキを施すメッキ条件において、電流密度を時間経過と共に微妙に変化させることにより適度の盛り上がりを作成することができる。
【００１０】
金属メッキ厚さが多過ぎると印刷画像面に金属メッキが大きく被り込み好ましくない。  また、少な過ぎると盛り上がりが乏しく盛り上がりの凹凸による深み効果が生じない。
また、メッキ条件としては、通常エンドエフェクト効果を期待する場合にはストライク法により過電流を流しエッジ効果としての効果を強調させるが、本発明においては、むしろ、盛り上げ開始時点より電流密度を漸次低下させて行き、印刷画像面にメッキが被らない範囲の色彩印刷の縁部に沿った適度のメッキ盛り上がりを得るものである。
なお、前記縁線部のメッキ盛り上げに対して、電着性に富むメッキであれば上記Ｃｕメッキ、Ｎｉメッキに代えて各種の金属、メッキ条件等を選択することができる。
【発明の効果】
【００１１】
本発明により、市場要求が強く技術的にも美術的にも難しい色彩印刷部分と金属メッキ部分が共存する微細模様の複合色彩装飾の作成方法およびそれを施した複合色彩装飾体を比較的コストも安く提供することができる。
【発明を実施するための最良の形態】
【００１２】
［実施の形態１］
図１は、本発明の実施例１における、複合色彩装飾の作成工程を示す説明図である。
図２は、本実施の形態１による複合色彩装飾体の断面の１例を示す説明図である。
図２は、本実施の形態１における色彩印刷と金属メッキの境界部の１例を拡大して示す断面図である。
図において、１は複合色彩装飾体、２は被装飾体、３は色彩印刷、４は導電性予備被覆、５はＣｕメッキ、５０は盛り上げ部、６は装飾金属メッキである。
【００１３】
本発明の実施の形態１において、複合色彩装飾体１の被装飾体２は、曲面または平面の被装飾面形状を有するプラスチック、金属等により構成されている。該被装飾面は以下の工程に先立ちその表面を清浄、脱脂されその表面は密着度を上げられるべく活性化される。活性化された被装飾面は、ＯＰ１導電性予備被覆作成工程において無電解メッキ法、真空蒸着法等にて少なくとも導電性を有する材料を均一に被覆される。表面に導電性を付与する目的であり、被膜厚さは必ずしも厚い必要はなく数μｍのオーダでよく、むしろ以後の色彩印刷に対してマイナスとなるような表面になることを避けられるべきである。
【００１４】
次ぎに、ＯＰ２色彩模様印刷工程において、微少色彩印刷が行なわれる。被装飾面が曲面の場合は基本的にパッド印刷法により、また平面の場合はスクリーン印刷等の通常の印刷方法により印刷される。印刷後において、印刷インキは加熱、ＵＶ等により、または印刷インキの組成自体における固定化の働きにより固定化する。固定化された印刷インキは、以後の工程において当接するメッキ液により冒される、乃至変色されることを十分避け得る組成のものでなければならない。色彩印刷の色は、後の装飾金属メッキとの関係においてファッション的見知よりデザイン選択される。
【００１５】
また、本発明の特徴でもある、微細色彩印刷は、前述のごとく線幅５０μｍ以下の極細線または該極細線による模様、または所定の分布により印刷された網点画像として印刷される。本出願人の出願になる特願２００４−２５８８１１号「曲面の印刷方法およびそれによる曲面体」特願２００４−２６３５５４号「曲面の印刷方法およびそれによる曲面体」等による極細線の印刷方法を使用することができる。
極細線による微細色彩印刷により、極めて繊細な色彩模様を作成せることができる。また所定の分布により印刷された網点画像は、その分布により繊細なボカシ効果を与えることができる。
【００１６】
なお、後段の電着性の良い金属メッキ（主としてＣｕメッキまたはＮｉメッキ）における盛り上げ量を適正にするためには、印刷インキによる印刷模様のインキ厚さは、２〜１０μｍ（より好ましくは２〜５μｍ）とすることが望ましい。これ以上では十分なメッキの盛り上がりを期待できず、また、これ以下ではインキの定着力も劣り、印刷模様部分にメッキ被りも生じ易く、色彩模様として好ましくない。
上記印刷模様のインキ厚さ２〜１０μｍ（より好ましくは２〜５μｍ）に対し、電着性の良い金属メッキのメッキ厚さは５〜２０μｍ程度（より好ましくは１０〜１５μｍ程度）とすることが望ましい。
この厚さのバランスにより、メッキ条件のより広い選択肢の幅において前記適度のメッキ盛り上がりを期待することができる。
【００１７】
ＯＰ２の色彩模様印刷工程を終了した被装飾体２は、ＯＰ３電着性の良い金属メッキ（主としてＣｕメッキまたはＮｉメッキ）被覆工程において電着性の良い金属メッキ５を施こされる。電着性の良い金属メッキの内、より好ましいＣｕメッキ５の場合は、硫酸銅浴によりおこなわれが、本実施の形態１においては、前述のごとく印刷により極細線に構成された微細色彩模様の縁線に沿って、このＣｕメッキ５に適度な量の盛り上げ部５０が形成されることが重要である。
このためのＣｕメッキ条件としては下記が好ましい。
Ｃｕメッキ浴
ＣｕＳＯ4   ２５０          ［ｇ／ｌ］
Ｈ2 ＳＯ4   １００          ［ｇ／ｌ］
光沢剤      若干量
電流密度φ          １．５以下      ［Ａｍｐ／ｄｍ2 ］
メッキ温度Ｔ        ２５〜５０      ［℃］
メッキ時間ｔ        約３０分
【００１８】
硫酸銅浴は、通常のＣｕＳＯ4 ；２００／Ｈ2 ＳＯ4 ；５０（標準組成）に対し、若干Ｈ2 ＳＯ4 のリッチ浴とし、電流密度も通常の２〜１０Ａｍｐ／ｄｍ2（標準）に対し、１．５Ａｍｐ／ｄｍ2以下（０を含まず）と低く設定する。また、電流密度φは、工程中一定でなく、盛り上がり開始途中から、盛り上げ終了時までに漸次低下させて行き、終了時点では１Ａｍｐ／ｄｍ2 程度とすることが重要である。
また、これにより約メッキ時間３０分によりメッキ厚１０〜１５μｍのＣｕメッキ５を得ることができ、且つ、印刷画像面に被ることなく印刷縁部に沿って数μｍ程度の適度の盛り上がり部５０を形成することができる。
【００１９】
適度のＣｕメッキ５を施された被装飾体２は、ＯＰ４装飾金属メッキ工程により装飾金属メッキ６が施される。装飾金属メッキ６の種類は、色彩印刷模様とのデザイン上の要求により選択される。Ａｕ、Ａｇ、Ｐｔ、Ｒｈ、Ｐｄ、ＮｉまたはＣｕ等の金属メッキ、Ａｕ−Ｃｏ、ブロンズ等の合金メッキなどが適用される。
各装飾金属メッキのメッキ厚さも装飾面として薄くてよく、せいぜいそのメッキ厚みは２μｍ以下（好ましくは０．０２〜１μｍ）にて十分である。
装飾金属メッキ６は各通常のメッキ浴、メッキ条件により行われるが、酸性浴によるメッキ処理の方が比較的取り扱いもよく好ましい。
【００２０】
装飾金属メッキ工程（ＯＰ４）の後は、適当なる仕上げ後処理を経て、複合色彩装飾体１は完成する。
これにより色彩印刷部分と装飾金属メッキ部分が共存し、シャープな色彩模様と、メッキ縁部の盛り上がり凹凸による深みもある、ファッション性ある装飾模様を得ることができる。
【００２１】
［実施の形態２］
図４は、本実施の形態２における、複合色彩装飾の作成工程を示す説明図である。
図５は、本実施の形態２による複合色彩装飾体の断面の１例を示す説明図である。
図において、１０は本実施の形態２における複合色彩装飾体、２１は導電性被装飾体、３１は本実施の形態２における色彩印刷、５１実施の形態２における電着性の良い金属メッキ（主としてＣｕメッキまたはＮｉメッキ）である。
なお、実施の形態１と同一の部位、部材においては、同一符号を付し、それらの説明を省略する。
【００２２】
図４において、本実施の形態２における複合色彩装飾体１０は、導電性プラスチックまたは金属により形成された導電性被修飾体２１を有し、該導電性被装飾体２１の被装飾面には、ＯＰ１０色彩模様印刷工程において直接色彩印刷３１が施される。
印刷前処理、印刷条件等は実施の形態１に準じる。
色彩印刷３１が施された導電性被装飾体２１は、ＯＰ２０電着性の良い金属メッキ（主としてＣｕメッキまたはＮｉメッキ）被覆工程において、電着性の良い金属メッキ５１がメッキされる。
本実施の形態２においては、該電着性の良い金属メッキ５１が、前記導電性被装飾体２１の面に直接メッキされる以外は全て実施の形態１と同一であり、電着性の良い金属メッキ５１の適度の盛り上げ部５０を色彩印刷３１の縁部に沿って形成することも実施の形態１に準じている。
【００２３】
更にＯＰ３０装飾金属メッキ工程により装飾メッキ６１を施す。この装飾メッキ６１のメッキ条件、手順等も実施の形態１に準じるものである。
なお、導電性プラスチックとしては、少なくとも被装飾面に導電性フィラを充填した複合プラスチックなどを使用することができる。
本実施の形態２により前述のごときファッション性ある装飾模様を比較的安価に得ることが可能となる。
【００２４】
［実施の形態３］
図６は、本実施の形態３における、複合色彩装飾の作成工程を示す説明図である。
図７は、本実施の形態３による複合色彩装飾体の断面の１例を示す説明図である。
図において、１２は本実施の形態３における複合色彩装飾体、２２は導電性被装飾体、３２は本実施の形態３における色彩印刷、６０は本実施の形態３における盛り上げ部、６２は実施の形態３における装飾金属メッキである。
なお、実施の形態１と同一の部位、部材においては、それらの説明を省略する。
【００２５】
図６に示すように、先ずＯＰ１００色彩模様印刷工程において、被装飾面に色彩印刷が施される。この印刷の各条件は実施の形態１に準じている。
次いで本実施の形態３においては、ＯＰ２００装飾金属メッキ工程において装飾金属メッキ６２が行われる。実施の形態１、２に較べ導電性予備被覆作成工程や電着性の良い金属メッキ被覆工程が省略されており、装飾金属メッキ６２は、導電性被装飾体２２に直接メッキされる。
すなわち、本実施の形態３における複合色彩装飾体１２の導電性被装飾体２２は、少なくともその被装飾面を導電性プラスチックまたは金属で形成している必要がある。
【００２６】
上述の実施の形態１、２および３においては、基本的に色彩印刷が、装飾金属メッキ前において実施される場合について述べたが、デザインによっては、装飾金属メッキ前に行われる基本的な色彩印刷に加えて、更に装飾メッキ後において被装飾面に対し他の色彩印刷を重畳的に行うこともできる。これによって、装飾金属メッキ前および後の色彩印刷と、装飾金属メッキとの共存効果により、より複雑なファッション性のある複合色彩装飾体を形成することができる。
【００２７】
本発明の複合色彩装飾方法は、比較的小形でファッション性を要求される物品に対して適用するのが好ましい。すなわち、曲面の被装飾面を有する携帯電話またはデジタルカメラのボディや、装身具またはメガネフレーム等への適用が最適である。
複合色彩装飾と曲面とによる、より複雑な色彩模様感覚を演出することができ、極めて斬新的な色彩装飾を提供することができる。
【産業上の利用可能性】
【００２８】
本願発明の複合色彩装飾は、主として比較的小形の物品に対しての適用について述べられているが、花瓶、家具等の大形の物品に対しても適用することができる。
【図面の簡単な説明】
【００２９】
【図１】本発明の実施例１における、複合色彩装飾の作成工程を示す説明図である。
【図２】本実施の形態１による複合色彩装飾体の断面の１例を示す説明図である。
【図３】本実施の形態１における色彩印刷と金属メッキの境界部の１例を拡大して示す断面図である。
【図４】本実施の形態２における、複合色彩装飾の作成工程を示す説明図である。
【図５】本実施の形態２による複合色彩装飾体の断面の１例を示す説明図である。
【図６】本実施の形態３における、複合色彩装飾の作成工程を示す説明図である。
【図７】本実施の形態３による複合色彩装飾体の断面の１例を示す説明図である。
【符号の説明】
【００３０】
１  複合色彩装飾体
２  被装飾体
３  色彩印刷
４  導電性予備被覆
５  電着性の良い金属メッキ（主としてＣｕメッキまたはＮｉメッキ）
５０  盛り上げ部
６  装飾金属メッキ
１０  本実施の形態２における複合色彩装飾体
１２  本実施の形態３における複合色彩装飾体
２１  導電性被装飾体
２２  導電性被装飾体
３２  本実施の形態３における色彩印刷
６０  本実施の形態３における盛り上げ部
６２  本実施の形態３における装飾金属メッキ
【図１】
0004804111.tif 000002
【図２】
0004804111.tif 000003
【図３】
0004804111.tif 000004
【図４】
0004804111.tif 000005
【図５】
0004804111.tif 000006
【図６】
0004804111.tif 000007
【図７】
0004804111.tif 000008